(57)【要約】【課題】漏水を生じさせることなく確実に、かつ強固に固定することができる床暖房パネル用ヘッダ、それを固定するための固定部材、及び床暖房パネル用ヘッダ装置を提供すること。【解決手段】床暖房パネル用ヘッダ２０の本体２１の温水接続管１４を備えている側の反対側に、本体２１を床下地１５上に固定するための突出部２４を設ける。そして、合成樹脂よりなる固定部材３０により前記突出部２４及び前記温水接続管２３を押え込んだ状態で、同固定部材３０を床下地１５に固定する。【選択図】    図４
2005009835.tif 000002
【特許請求の範囲】
【請求項１】
温水供給源からの温水パイプが接続される第１接続部と、その温水パイプからの温水を配給する配給パイプが接続される第２接続部とを本体に備えた床暖房パネル用ヘッダにおいて、
前記本体の第１接続部を備えている側の反対側に、本体を床下地上に固定するために用いられる突出部を設けたことを特徴とする床暖房パネル用ヘッダ。
【請求項２】
床下地に固定するための固定部を両端に設けるとともに、その固定部間に、請求項１に記載の突出部を押え込むための押え込み部を設けたことを特徴とする床暖房パネル用ヘッダの固定部材。
【請求項３】
前記押え込み部は、第１接続部及び／または第２接続部を押え込むことができるように形成されていることを特徴とする請求項２に記載の床暖房パネル用ヘッダの固定部材。
【請求項４】
前記押え込み部は、突出部及び第１接続部の外周面形状に対応する円弧部を備えていることを特徴とする請求項３に記載の床暖房パネル用ヘッダの固定部材。
【請求項５】
合成樹脂よりなる請求項２〜４のいずれか一項に記載の床暖房パネル用ヘッダの固定部材。
【請求項６】
請求項１に記載の床暖房パネル用ヘッダと、請求項２〜５のいずれか一項に記載の床暖房パネル用ヘッダの固定部材とよりなることを特徴とする床暖房パネル用ヘッダ装置。
【発明の詳細な説明】
【０００１】
【発明の属する技術分野】
この発明は、住宅等の暖房のために、例えば床下地上に敷設される床暖房パネルに用いるヘッダ、その固定部材、及び床暖房パネル用ヘッダの固定構造に関するものである。
【０００２】
【従来の技術】
一般に、床暖房パネルには、図７に示すように、発泡合成樹脂製の基材１００の表面に配管溝１０６が形成され、その配管溝１０６には合成樹脂製の配給パイプ１０５が収容されている。そして、この基材１００の表面に、図示しない金属薄板よりなる均熱シートが貼着され、この上に図示しないフローリングが敷設されている。基材１００上に形成した切欠部１０７内に金属製のヘッダ１０４が設けられている。配給パイプ１０５は、ヘッダ１０４を介して図示しない温水供給源から延びるとともにポリエチレン等の合成樹脂よりなる温水パイプ１０３と接続されている。
【０００３】
この状態で、温水パイプ１０３から配給パイプ１０５に温水が配給されることにより、フローリングが暖められる。
そして、図７及び図８に示すように、通常、温水パイプ１０３は、床下から床下地１０１に設けられた孔１０２を通って床下地１０１上に延びている。
【０００４】
【発明が解決しようとする課題】
しかしながら、図８に示すように、温水パイプ１０３は、孔１０２付近において曲げられるので、温水パイプ１０３に応力が発生する。また、この温水パイプ１０３には、湾曲部分の潰れを防止するために高剛性のものが用いられる。そして、温水パイプ１０３は、ヘッダ１０４の下側から延びているので、前記応力はヘッダ１０４に対して上向きに作用し、その結果、ヘッダ１０４が床下地１０１上から浮き上がる。このため、床暖房パネル上に敷設するフローリングが、防音タイプのもののように柔らかい材質のものが用いられた場合、前記ヘッダ１０４の浮き上がりに伴って、ヘッダ１０４の上に位置する部分のフローリングが盛り上がってしまうという問題があった。
【０００５】
したがって、前述のようなヘッダ１０４の浮き上がりを抑制するためには、図示しないフィルムシートによって前記切欠部１０７におけるヘッダ１０４や配給パイプ１０５を覆ってから、このフィルムシートを床下地１０１にビスによって固定する方法が考えられる。しかし、この場合には、フィルムシートの取り付け作業に手間がかかる。加えて、床暖房パネルの厚さは予め決められているので、基材１００の上面と、ヘッダ１０４や配給パイプ１０５の上面との差が小さい場合、フィルムシートは、所定の強度が得られる厚さのものを使用することができない。このため、フィルムシートの強度が不足し、前記ヘッダ１０４の浮き上がりによってフィルムシートが破損するおそれがある。
【０００６】
また、前記ヘッダ１０４の浮き上がりを抑制するために、ヘッダ１０４に隣接するように床下地１０１へ直接金属製のネジをねじ込むとともに、このネジの頭の部分がヘッダ１０４の上面端部に引っかかるようにしてヘッダ１０４を床下地１０１に固定する方法が考えられる。しかし、この場合、ネジの頭は小さいので、その作業が困難であるばかりでなく、ヘッダ１０４とネジとの間で異種金属による電位差腐食が起こるおそれがあり、最悪の場合、ヘッダ１０４に穴があいて漏水するおそれがある。
【０００７】
この発明は、このような従来の技術に存在する問題点に着目してなされたものである。その目的は、漏水が生じることなくヘッダを確実かつ強固に固定することができる床暖房パネル用ヘッダ、その固定部材、及び床暖房パネル用ヘッダ装置を提供することにある。
【０００８】
【課題を解決するための手段】
上記目的を達成するために、請求項１の発明においては、温水供給源からの温水パイプが接続される第１接続部と、その温水パイプからの温水を配給する配給パイプが接続される第２接続部とを本体に備えた床暖房パネル用ヘッダにおいて、前記本体の第１接続部を備えている側の反対側に、本体を床下地上に固定するために用いられる突出部を設けたことを要旨とするものである。
【０００９】
従って、突出部を利用して床暖房パネル用ヘッダを床下地へ固定することができる。このため、ヘッダを前述した従来とは異なり、フィルムシートを用いることなく床下地に対して強固に固定できる。したがって、第１接続部に接続された温水パイプが曲げられた時に発生する応力の作用によって床下地上から床暖房パネル用ヘッダが浮き上がるのを阻止することができる。よって、床暖房パネル上に敷設するフローリングが、柔らかい防音タイプのものであっても、前記ヘッダの上に位置する部分のフローリングが盛り上がるのを阻止することができる。
【００１０】
請求項２に記載の発明においては、床下地に固定するための固定部を両端に設けるとともに、その固定部間に、請求項１に記載の突出部を押え込むための押え込み部を設けたことを要旨とするものである。
【００１１】
従って、固定部材を両端の固定部において床下地に固定できるとともに、両固定部間においてヘッダを確実に押え込むことができる。
請求項３に記載の発明においては、請求項２において、前記押え込み部は、第１接続部及び／または第２接続部を押え込むことができるように形成されていることを要旨とするものである。
【００１２】
従って、１種類の床暖房パネル用ヘッダの固定部材を、前記突出部及び第１接続部、あるいは第２接続部に対して共通使用することができる。このため、複数種類の固定部材を製造する必要がないので、固定部材の製造コストを低く抑えることができる。
【００１３】
請求項４に記載の発明においては、請求項３において、前記押え込み部は、突出部及び第１接続部の外周面形状に対応する円弧部を備えていることを要旨とするものである。
【００１４】
従って、固定部材によるヘッダの固定状態においては、円弧部と突出部等との係合によりヘッダが位置決めされて、その位置で固定される。
請求項５に記載の発明においては、請求項２〜４のいずれか一項において、固定部材が合成樹脂よりなることを要旨とするものである。
【００１５】
従って、床暖房パネル用ヘッダの突出部及び第１接続部、あるいは第２接続部と、前記固定部材との間の異種金属による電位差腐食をなくすことができる。このため、前記電位差腐食によって床暖房パネル用ヘッダに穴があいて漏水が生じるおそれがない。
【００１６】
請求項６に記載の発明においては、請求項１に記載の床暖房パネル用ヘッダと、請求項２〜５のいずれか一項に記載の床暖房パネル用ヘッダの固定部材とよりなることを要旨とするものである。
【００１７】
従って、請求項１〜５と同様の効果が得られる。
【００１８】
【発明の実施の形態】
以下、本発明を具体化した実施形態を図１〜図５に基づいて説明する。
図１に示すように、この実施形態の床暖房パネル１０の発泡合成樹脂製の基材１１の表面には、複数の平行な蛇行状をなす配管溝１２が形成され、その配管溝１２内には、可撓性を有する合成樹脂製の配給パイプ１３が嵌め込まれて収容されている。基材１１の表面全体には、配給パイプ１３を覆うように図示しない熱伝導性の良好な金属薄膜、例えばアルミニウム合金の薄膜よりなる均熱シートが貼着され、前記配給パイプ１３内の温水の熱が床暖房パネル１０上のフローリング全体に均一に伝播されるようになっている。基材１１の一端部には、切欠部１７が設けられており、この切欠部１７内には、ヘッダ２０が設けられているとともに、このヘッダ２０には、前記配給パイプ１３が接続されている。
【００１９】
図２に示すように、床暖房パネル用ヘッダ２０の本体２１は、金属材料よりなるとともに直方体形状をなしている。本体２１の一側面２１ａには、第１接続部としての一対の温水接続管２３が突設されている。この温水接続管２３には、図示しないボイラ等の温水供給源からの、ポリエチレン等の合成樹脂よりなる温水パイプ１４が接続されている。本体２１の前記一側面２１ａの反対側の側面２１ｂには、本体２１を床下地１５上に固定する際に使用されるほぼ円柱状の突出部２４が設けられている。
【００２０】
本体２１の一側面２１ａと隣接する２つの側面２１ｃ，２１ｄには、それぞれ前記配給パイプ１３が接続される第２接続部としての配給接続管２２が２本ずつ突設されている。温水接続管２３、配給接続管２２及び突出部２４は、ほぼ同一面上に位置する。
【００２１】
図３に示すように、前記ヘッダ２０の固定部材３０は、合成樹脂板よりなり、その両端部にそれぞれほぼ四角形状の固定部３１が設けられているとともに、この固定部３１間に挟まれるように押え込み部３２が設けられている。固定部３１のほぼ中央には、固定孔３３が形成されている。押え込み部３２は、３つの円弧部３２ａにより構成されている。これらの円弧部３２ａのうち、中央部の円弧部３２ａは、突出部２４の外周面形状に対応する径を持ち、両端側の円弧部３２ａは、温水接続管２３の外周面形状に対応する径を持つ。
【００２２】
そして、図４に示すように、固定部材３０は、前記ヘッダ２０の突出部２４及び温水接続管２３のいずれに対しても押え込み部３２で押え込んだ状態で、固定部３１を床下地１５に固定できるように構成されている。また、前記ヘッダ２０と前記固定部材３０とによって床暖房パネル用ヘッダ装置４０が構成されている。
【００２３】
さて、前記ヘッダ２０を前記固定部材３０によって床下地１５へ固定する場合には、図４及び図５に示すように、固定部材３０の押え込み部３２の両端側の２つの円弧部３２ａ内に一対の温水接続管２３が収まるように、固定部材３０で温水接続管２３を押え込む。この状態で、固定孔３３に図示しない釘を挿入して、この釘を床下地１５に打ち込むことにより固定部材３０が床下地１５に固定される。これと前後して、別の固定部材３０の押え込み部３２の中央部の円弧部３２ａ内に突出部２４が収まるように、固定部材３０で突出部２４を押え込む。この状態で、固定孔３３に図示しない釘を挿入して、この釘を床下地１５に打ち込むことにより固定部材３０が床下地１５に固定される。この結果、前記ヘッダ２０が前記固定部材３０によって床下地１５に確実かつ強固に固定される。
【００２４】
以上詳述した実施形態によれば次のような効果が発揮される。
・  突出部２４を利用して床暖房パネル用ヘッダ２０を床下地１５へ固定することができる。このため、前記ヘッダ２０を前述した従来とは異なり、フィルムシートを用いることなく床下地１５に対して強固に固定できる。したがって、温水接続管２３に接続された温水パイプ１４が曲げられた時に発生する応力の作用によって床下地１５上から前記ヘッダ２０が浮き上がるのを阻止することができる。よって、床暖房パネル１０上に敷設するフローリングが、柔らかい防音タイプのものであっても、前記ヘッダ２０の上に位置する部分のフローリングが盛り上がるのを阻止することができる。
【００２５】
・  前記ヘッダ２０の突出部２４及び温水接続管２３のいずれに対しても前記押え込み部３２で押え込んだ状態で、床下地１５に固定部材３０を固定できる。つまり、１種類の固定部材３０を、前記突出部２４及び温水接続管２３に対して共通使用することができる。したがって、複数種類の固定部材３０を製造する必要がないので、固定部材３０の製造コストを低く抑えることができる。
【００２６】
・  固定部材３０は合成樹脂よりなるため、前記ヘッダ２０の突出部２４及び温水接続管２３と、固定部材３０を床下地１５へ固定するための釘とが電気接続されることはない。このため、前記ヘッダ２０の突出部２４及び温水接続管２３と、前記釘との間の異種金属による電位差腐食をなくすことができる。このため、前記電位差腐食によって前記ヘッダ２０に穴があいて漏水が生じるおそれがない。
【００２７】
・  固定部材３０は、本体２１の上面に被せられるものではなく、本体２１の上面よりも下方に位置する突出部２４等を押え込むものであるため、この固定部材３０によってヘッダ装置４０全体の高さが高くなることはない。このため、固定部材３０の厚みを充分に確保でき、固定部材３０を厚く丈夫なものにすることができる。
【００２８】
・  床暖房パネル１０の面積に応じて配給接続管２２の本数を変更することにより、図６に示すように、本体２１の配給接続管２２の本数を変更したヘッダ２０が使用されるが、この場合にも前記固定部材３０をそのまま使用することができ、固定部材３０としての汎用性が高い。
【００２９】
（変更例）
なお、前記実施形態を次のように変更して構成することもできる。
・  前記ヘッダ２０の本体２１の一側面２１ａと隣接する２つの側面２１ｃ，２１ｄに、配給接続管２２を１本ずつ、または３本以上ずつ設けること。
【００３０】
・  固定部材３０として、配給接続管２２を押え込む押え込み部を設けた構成のものとすること。この場合、配給接続管２２の相互の配列間隔と温水接続管２３の相互の配列間隔とが等しければ、１種類の固定部材でよい。
【００３１】
【発明の効果】
以上、詳述したように本発明は、漏水を生じさせることなくヘッダを床下地に対して確実かつ強固に固定することができる床暖房パネル用ヘッダ、それを固定するための固定部材、及び床暖房パネル用ヘッダ装置を提供できるという効果がある。
【図面の簡単な説明】
【図１】実施形態の床暖房パネルの平面簡略図。
【図２】実施形態の床暖房パネル用ヘッダの斜視図。
【図３】実施形態の床暖房パネル用ヘッダの固定部材の斜視図。
【図４】実施形態の床暖房パネル用ヘッダ装置の斜視図。
【図５】実施形態の床暖房パネル用ヘッダの取り付け状態を表す平面図。
【図６】実施形態の他の床暖房パネル用ヘッダの取り付け状態を表す平面図。
【図７】従来の床暖房パネル用ヘッダの取り付け状態を表す平面図。
【図８】従来の床暖房パネル用ヘッダの取り付け状態を表す断面図。
【符号の説明】
１０…床暖房パネル、１１…基材、１３…配給パイプ、１４…温水パイプ、１５…床下地、２０…床暖房パネル用ヘッダ、２１…本体、２２…第２接続部としての配給接続管、２３…第１接続部としての温水接続管、２４…突出部、３０…床暖房パネル用ヘッダの固定部材、３１…固定部、３２…押え込み部、３２ａ…円弧部、３３…固定孔、４０…床暖房パネル用ヘッダ装置。
【図１】
2005009835.tif 000003
【図２】
2005009835.tif 000004
【図３】
2005009835.tif 000005
【図４】
2005009835.tif 000006
【図５】
2005009835.tif 000007
【図６】
2005009835.tif 000008
【図７】
2005009835.tif 000009
【図８】
2005009835.tif 000010